(57)【要約】【課題】排水口を閉塞した際には十分なシール機能を発揮して臭気や小バエ、蚊などの侵入を確実に防止して良好な環境を確保でき、しかも開閉蓋の開閉も容易に行うことのできる排水栓を提供する。【解決手段】床面に形成された排水口Ｇ１に開閉自在に設けられた排水栓１において、排水口Ｇ１に設けられた筒状の本体２と、本体２の上面開口を開閉する開閉蓋３とを備えてなり、開閉蓋３は、開閉蓋３の中心から偏心した位置を中心にして開閉自在に設けられる一方、本体２の上部開口周縁にはその上面から下方にかけて内方もしくは外方に傾斜したテーパ面２ａ、２ｃが全周に亘って形成されるとともに、開閉蓋３の周縁にはこの開閉蓋３で上部開口を閉塞した際に上記テーパ面と合致するテーパ面が形成され、さらに、本体２の上部開口周縁と開閉蓋３との間にはパッキン５が介装されている。【選択図】  図１
2004162449.tif 000002
【特許請求の範囲】
【請求項１】
床面に形成された排水口に開閉自在に設けられた排水栓において、
前記排水口に設けられた筒状の本体と、該本体の上面開口を開閉する開閉蓋とを備えてなり、
上記開閉蓋は、当該開閉蓋の中心から偏心した位置を中心にして開閉自在に設けられる一方、上記本体の上部開口周縁にはその上面から下方にかけて内方もしくは外方に傾斜したテーパ面が全周に亘って形成されるとともに、開閉蓋の周縁にはこの開閉蓋で上部開口を閉塞した際に上記テーパ面と合致するテーパ面が形成され、さらに、本体の上部開口周縁と開閉蓋との間にはパッキンが介装されてなることを特徴とする排水栓。
【発明の詳細な説明】
【０００１】
【発明の属する技術分野】
本発明は、排水口を開閉するための排水栓に関するものである。
【０００２】
【従来の技術】
従来、例えば、学校などの施設のトイレには清掃時に使用する水等の洗浄水を排水管を通じて外部に排水するための排水口が床面に設けられており、該排水口には排水栓が開閉自在に設けられている。
【０００３】
この排水栓は、排水口に接続される筒状の本体と、該本体の上面開口を開閉する開閉蓋とを備えてなり、上記本体の上部開口周縁には上面から下方にかけて内方もしくは外方に傾斜したテーパ面が全周に亘って形成されるとともに、開閉蓋の周縁にはこの開閉蓋で上部開口を閉塞した際に上記テーパ面と合致するテーパ面が形成されている。
【０００４】
従って、本体の上部開口を開閉蓋により閉塞することで、両者のテーパ面が合致し、これにより本体が接続された排水口を閉塞している。（例えば、特許文献１参照）
【０００５】
【特許文献１】
実公昭３８−８６５５号公報
【０００６】
【発明が解決しようとする課題】
しかしながら、上記従来の排水栓では、テーパ面を合致させただけで排水口を閉塞しているため、シール機能が十分でなく、排水管を通じて逆流してくる臭気がテーパ面間の隙間からトイレ内に漏れ出して当該該トイレ内に漂ったり、小バエ、蚊なども排水管から隙間を通じてトイレ内に侵入することになり、衛生上好ましくなく、環境を阻害するという問題があった。
【０００７】
本発明は、上記問題点に鑑みてなされたもので、その目的とするところは、排水口を閉塞した際には十分なシール機能を発揮して臭気や小バエ、蚊などの侵入を確実に防止して良好な環境を確保でき、しかも開閉蓋の開閉も容易に行うことのできる排水栓を提供することにある。
【０００８】
【課題を解決するための手段】
請求項１に係る発明の排水栓は、床面に形成された排水口に開閉自在に設けられた排水栓において、前記排水口に設けられた筒状の本体と、該本体の上面開口を開閉する開閉蓋とを備えてなり、上記開閉蓋は、当該開閉蓋の中心から偏心した位置を中心にして開閉自在に設けられる一方、上記本体の上部開口周縁にはその上面から下方にかけて内方もしくは外方に傾斜したテーパ面が全周に亘って形成されるとともに、開閉蓋の周縁にはこの開閉蓋で上部開口を閉塞した際に上記テーパ面と合致するテーパ面が形成され、さらに、本体の上部開口周縁と開閉蓋との間にはパッキンが介装されてなるものである。
【０００９】
【発明の実施の形態】
以下、本発明の実施の形態を図面を参照して説明する。
【００１０】
図１は、本発明の排水栓の構造を示している。
【００１１】
例えば学校などの施設のトイレの床面Ｇには排水口Ｇ１が設けられており、清掃に使用した水等の洗浄水を排水口Ｇ１を通じて排水管Ａに導入し外部に排水している。
【００１２】
そして、上記排水口Ｇ１には、衛生や安全を確保する上で排水栓１を設けている。
【００１３】
排水栓１は、排水口Ｇ１に設けられた筒状の本体２と、該本体２の上部開口を開閉する開閉蓋３とを備えている。
【００１４】
本体２は、円形の筒状体であり、その上端にフランジ２１が形成されている。そして、前記排水口Ｇ１に臨んで配された排水管Ａの管端Ａ１の内部に本体２の外周面を嵌入し、フランジ２１の下面を上記管端Ａ１の端面に当接させることによって、上記本体２が排水口Ｇ１に取付けられている。
【００１５】
開閉蓋３は、当該開閉蓋３の中心Ｃから所定距離Ｓをずらした位置で水平軸４により本体２に回動自在に支持されている。つまり、開閉蓋３は本体２に対してその中心Ｃから偏心した位置を中心にして開閉するように構成されている。
【００１６】
従って、図１に示すように閉じられている開閉蓋３を開く場合には、偏心した側の水平軸４よりも図１において左側部分を矢符Ｑに示すように上方から下方に押し込むことで、開閉蓋３が水平軸４を中心にして反時計回りに回動し、開閉蓋３の周縁が本体の上部開口周縁に当接する位置で、図２に示すような立設状態となって保持される。これにより本体２の上部開口は開放され、この開口を通じて排水管Ａに連通される。
【００１７】
ところで、前記本体２の上部開口周縁と前記開閉蓋３の周縁は以下のように形成されている。なお、以下の説明の便宜上、本体２の上部開口の上面において、図３に示すように、その中心を通り前記水平軸４と直交する線をＬ１とした場合に、線Ｌ１が交差する周縁の水平軸４側の交差点をＸ１点、その反対側の周縁の交差点をＸ２点とする。
【００１８】
まず、本体２の上部開口周縁において、Ｘ１点側となる図３に示す左側半分は、Ｘ１点において図１に示すようにその上面から下方にかけて外方に所定長さ傾斜して形成され、このＸ１点から略中央の各Ｙ点にかけて傾斜角が漸次小さくなるようなテーパ面２ａに形成されて、本体２の下部に形成されたストレート面２ｂに繋がっている。
【００１９】
一方、本体２の上部開口周縁において、Ｘ２点側となる図３に示す右側半分は、Ｘ２点において図１に示すようにその上面から下方にかけて内方に所定長さ傾斜して形成され、このＸ２点から上記各Ｙ点にかけて傾斜角が漸次小さくなるようなテーパ面２ｃに形成されて、本体２の下部に形成されたストレート面２ｂに繋がっている。
【００２０】
つまり、本体２の上部開口周縁には、傾斜方向が相反する２つのテーパ面２ａ、２ｃが傾斜されており、このようなテーパ形状に合致するように前記開閉蓋３の周縁もテーパ面に形成されている。従って、本体２の上部開口に対して開閉蓋３は、これら両者のテーパ面が合致した状態となって当該本体２の上部開口を閉塞することになる。
【００２１】
そして、上述したように形成された本体２の上部開口と開閉蓋３との間には、ゴムや合成樹脂からなるパッキン５が介装されている。
【００２２】
具体的には、パッキン５は、図４に示すようにＸ１点においては本体２のテーパ面２ａとストレート面２ｂとの繋がり部に一部が内方に若干突出する状態で配置されている。そして、パッキン５は、上述のように一部が若干突出する状態でテーパ面２ａとストレート面２ｂとの繋がり目に沿うようにして本体２の上部開口内側の全周に配設されている。
【００２３】
従って、前述したように開閉蓋３を閉じた場合には、上記パッキン５が開閉蓋３の周縁全周と密着することになり、これによって本体２の上部開口は開閉蓋３によりパッキン５を介して隙間無く閉塞される。つまり、排水口Ｇ１が排水栓１によって密閉状態で閉塞されることになる。
【００２４】
このように本発明の排水栓１により排水口Ｇ１を密閉状態で閉塞することで、排水管Ａを通じて逆流してくる臭気が、この排水口Ｇ１を設けたトイレなどの施設内に漏れ出して漂ったり、小バエ、蚊などが排水管から施設内に侵入することを確実に防止することができ、これにより良好な環境を確保できる。
【００２５】
また、開閉蓋３の開閉も、当該開閉扉３の一部を下方に押し込むだけの操作で簡単に開くことができるとともに、開放状態からは反対側に回動させることで簡単に閉じることができる。
【００２６】
図５は、本発明の排水栓１の他の例を示している。なお、前述した排水栓１と同じ部材には同符号を付して説明は省略する。
【００２７】
この排水栓１は、開閉蓋３の底部周縁３ａが開閉を許容するための一部（開閉先端部）を除いてストレート形状に形成されてテーパ面に繋がっており、閉塞した際にこの底部周縁３ａの下端と当接するようにパッキン５が本体２の内周面に設けられている。
【００２８】
このように開閉蓋３と本体２とのストレート部にパッキン５を介装することで、このパッキン５の取付けなど本体２の作製が容易になるとともに、高い気密性が期待できる。
【００２９】
図６及び図７は、本発明の排水栓１のさらに他の例を示している。なお、前述した排水栓１と同じ部材には同符号を付して説明は省略する。
【００３０】
この排水栓１は、開閉蓋３が矩形状に形成されたもので、この開閉蓋３に対応して本体２が形成されている。
【００３１】
具体的には、本体２の上部開口が開閉蓋３に対応する矩形状に形成されるとともに、フランジ２１も矩形状に形成されている。また、図７に示すように本体２の上部開口から途中部までが矩形部２２に形成され、ここから径が絞られて円形の下端部２３が形成されて、この下端部２３が排水管Ａの管端Ａ１内に嵌入されている。
【００３２】
そして、上述の排水栓１と同様に開閉蓋３の底部周縁３ａが開閉を許容するための一部（開閉先端部）を除いてストレート形状に形成され、閉塞した際にこの底部周縁３ａの下端と当接するようにパッキン５が本体２の内周面に設けられている。
【００３３】
なお、本体２の上部周縁と開閉蓋３の周縁とは本体２に対して開閉蓋３が水平軸４を中心にして開閉できるようにこれらのテーパ面が次のように形成されている。
【００３４】
即ち、本体２の上部周縁は、開閉蓋３の開閉中心となる水平軸４の中心位置４ａ（図６参照）を境界として、その左側３辺の周縁が図７に示すように外方に傾斜したテーパ面に形成されるとともに、右側３辺の周縁が図７に示すように内方に傾斜したテーパ面に形成されており、これに対応して開閉蓋３の各周縁部分も上記各テーパ面と合致するように形成されている。
【００３５】
このように排水栓１を形成することによっても、前述した各排水栓１と同様な効果を奏することができる。
【００３６】
なお、本発明の排水栓１は、施設などの内外に関わらず適宜に設けられた排水口Ｇ１を開閉するものとして適用することができる。
【００３７】
また、本実施の形態では、開閉蓋３が平面視円形状や矩形状のものについて説明したが、開閉蓋３の形状は限定されるものではなく、本体２に対して開閉蓋３が開閉できるものであれば、どのような形状であってもよい。
【００３８】
さらに、パッキン５は本体２側の他、開閉蓋３側に設けてもよい。
【００３９】
【発明の効果】
以上述べたように、本発明の排水栓によれば、開閉蓋が、当該開閉蓋の中心から偏心した位置を中心にして開閉自在に設けられる一方、上記本体の上部開口周縁にはその上面から下方にかけて内方もしくは外方に傾斜したテーパ面が全周に亘って形成されるとともに、開閉蓋の周縁にはこの開閉蓋で上部開口を閉塞した際に上記テーパ面と合致するテーパ面が形成され、さらに、本体の上部開口周縁と開閉蓋との間にはパッキンが介装されてなることで、逆流してくる臭気が排水口を設けたトイレなどの施設内に漏れ出して漂ったり、小バエ、蚊などが排水口から施設内に侵入することを確実に防止することができ、これにより良好な環境を確保できる。
【図面の簡単な説明】
【図１】本発明の排水栓の構造を示す断面図である。
【図２】同じく排水栓の開閉蓋が開放した状態を示す断面図である。
【図３】同じく排水栓を示す平面図である。
【図４】パッキンの取付け状態を示す拡大の断面図である。
【図５】本発明の排水栓の他の例を示す断面図である。
【図６】本発明の排水栓のさらに他の例を示す平面図である。
【図７】同じく排水栓を示す断面図である。
【符号の説明】
１  排水栓
２  本体
２ａ  テーパ面
２ｃ  テーパ面
３  開閉蓋
４  水平軸
５  パッキン
Ｇ  床面
Ｇ１  排水口
【図１】
2004162449.tif 000003
【図２】
2004162449.tif 000004
【図３】
2004162449.tif 000005
【図４】
2004162449.tif 000006
【図５】
2004162449.tif 000007
【図６】
2004162449.tif 000008
【図７】
2004162449.tif 000009